(57)【特許請求の範囲】
【請求項１】
磁気化された情報が長手方向に記録されている部位を含む、矩形または略矩形形状をなす記録媒体を、その長手方向に沿った端面を先頭にして挿入可能な開口と、
前記長手方向の端面を先頭にした正規方向に前記記録媒体が前記開口に挿入されたか否かを検出すると共に、磁気により前記記録媒体の長手方向に沿った２つの端面のうち、前記部位に近い方の一端面を先頭にして挿入されたか、他端面を先頭にして挿入されたかを検出可能なセンサと、
前記開口に挿入された前記記録媒体を搬送可能な搬送部と、
前記センサの検出結果に応じて、前記搬送部の動作を制御する制御部と
を備え、
前記センサは、前記開口近傍の、自装置内側に設けられ、
前記制御部は、前記センサによる検出結果によって、前記正規方向に前記記録媒体が前記開口に挿入されたことを検出した場合には、
前記搬送部は、
前記正規方向に挿入された前記記録媒体を、挿入されたときの方向とは異なる方向に変更することにより、自装置内側の所定位置に搬送することが可能であり、
前記制御部は、
前記センサによって、前記記録媒体が前記正規方向に挿入されたことを検出すると共に、前記記録媒体の長手方向に沿った２つの端面のうち、前記部位に近い方の一端面を先頭にして挿入されたか、他端面を先頭にして挿入されたかを検出した結果に応じて、前記搬送部による搬送動作の制御を変更する
記録媒体取扱い装置。
【請求項２】
前記制御部は、
前記センサから受け取った検出結果が、前記正規方向に前記磁気媒体が前記開口に挿入されたことを検出し、且つ、前記磁気媒体の長手方向に沿った２つの端面のうち、前記部位に近い方の一端面を先頭にして挿入されたことを検出した場合は、挿入された前記磁気媒体を、上面視で、時計回りに９０度回転し、前記所定位置に搬送されるように前記搬送部を制御し、一方、
前記センサから受け取った検出結果が、前記正規方向に前記磁気媒体が前記開口に挿入されたことを検出し、且つ、前記磁気媒体の長手方向に沿った２つの端面のうち、前記部位に遠い方の一端面を先頭にして挿入されたことを検出した場合は、挿入された前記磁気媒体を、上面視で、反時計回りに９０度回転し、前記所定位置に搬送されるように前記搬送部を制御する
請求項１に記載の記録媒体取扱い装置。
【請求項３】
前記所定位置は、前記部位が前記長手方向に走査されることによって、前記磁気化された情報を読み取り可能な、前記センサとは異なる磁気センサの手前位置であり、
前記制御部は、前記搬送部による搬送動作を制御することにより、
前記開口において前記正規方向に挿入された前記記録媒体を、前記所定位置において、前記記録媒体の短方向に沿った端面を先頭にし、且つ、前記磁気センサの手前に前記部位が位置するように搬送する
請求項１記載の記録媒体取扱い取り装置。
【請求項４】
前記磁気センサが設けられた外部装置は、前記記録媒体の短方向に沿った端面を先頭にして挿入可能な開口を有し、
前記制御部は、前記搬送部による搬送動作を制御することにより、
自装置の前記開口において前記正規方向に挿入された前記記録媒体を、前記外部装置の開口において、前記記録媒体の短方向に沿った端面を先頭にし、且つ、前記磁気センサの手前に前記部位が位置するように搬送する
請求項３記載の記録媒体取扱い取り装置。
【請求項５】
前記記録媒体は、磁気カードであり、
前記部位は、前記磁気カードに設けられた磁気ストライプである
請求項１乃至請求項４の何れかに記載の記録媒体取扱い取り装置。
【請求項６】
磁気化された情報が長手方向に記録されている部位を含む、矩形または略矩形形状をなす記録媒体を、その長手方向に沿った端面を先頭にして挿入可能な開口と、
前記開口近傍の、自装置内側に設けられ、前記長手方向の端面を先頭にした正規方向に前記記録媒体が前記開口に挿入されたか否かを検出すると共に、磁気により前記記録媒体の長手方向に沿った２つの端面のうち、前記部位に近い方の一端面を先頭にして挿入されたか、他端面を先頭にして挿入されたかを検出可能なセンサと、
前記開口に挿入された前記記録媒体が、前記センサによる検出結果によって、前記正規方向に前記開口に挿入されたことが検出された場合には、前記記録媒体を、挿入されたときの方向とは異なる方向に変更することにより、自装置内側の所定位置に搬送可能な搬送部と、
前記センサの検出結果に応じて、前記搬送部の動作を制御する制御部と
を備える記録媒体取扱い装置により、
前記センサによって、前記記録媒体が前記正規方向に挿入されたことを検出すると共に、前記記録媒体の長手方向に沿った２つの端面のうち、前記部位に近い方の一端面を先頭にして挿入されたか、他端面を先頭にして挿入されたかを検出した結果に応じて、前記搬送部による搬送動作の制御を変更する
記録媒体取扱い装置の制御方法。
【発明の詳細な説明】
【技術分野】
【０００１】
本発明は、磁気カード等の記録媒体を取扱う記録媒取扱い装置等の動作を制御する技術分野に関する。
【背景技術】
【０００２】
銀行等における現金自動預け払い機等に設けられた、キッシュカード等の磁気カードが挿入される磁気カード挿入口近辺に、第３者が、磁気カードに設けられた磁気ストライプに磁気的に記録されたデータを不正に読み取るスキミング装置を設置する犯罪が発生している。第３者は、その設置したスキミング装置により読み取った磁気カードのデータと同一のデータを記録した新たな磁気カードを作成し、当該磁気カードを不正に使用するという犯罪を行うことが知られている。
【０００３】
係る犯罪を防止するため、例えば、特許文献１には、記録媒体受付装置の記録媒体の挿入口の少なくとも一部の範囲で、かつ、記録媒体にデータを読み書きするヘッドと対応する位置に記録媒体の挿入を案内する突出部を形成する技術が開示されている。
【０００４】
特許文献１には、突出部における長手方向の長さおよび長手方向の端部形状によって、第３者がスキミング装置を取り付けるのを難しくすることが記載されている。また、特許文献１には、突出部付近を監視する光学センサにより、突出部付近に取り付けられた異物を検知することが記載されている。
【０００５】
特許文献２には、磁気カードが挿入されるカード挿入口に、利用者がカードを挿入する際に、規制部によって、磁気カードの読み取りが開始される先端部位を、保護部内に収め、スキミング装置の読み取りヘッドの近接から保護する技術が開示されている。
【０００６】
特許文献３には、磁気カードのエンボス（刻印）を、ジャーナル用紙の縦方向、および横方向のどちらの方向にでもインプリントできるようにする技術が開示されている。特許文献３には、インプリントする磁気カードの向きが前回インプリントした磁気カードの向きと異なる場合に、磁気カードをカード搬送台の所定の位置まで搬送した後、モータを駆動することによってカード搬送台を、所定の方向に９０度回転することが記載されている。
【先行技術文献】
【特許文献】
【０００７】
【特許文献１】特開２０１１−２３２８６２号公報
【特許文献２】特開２０１５−１０３２１１号公報
【特許文献３】特開昭６１−２２８５８８号公報
【発明の概要】
【発明が解決しようとする課題】
【０００８】
しかしながら、特許文献１に記載された技術は、突出部にスキミング装置が設置される機会を抑制するに留まる。すなわち、特許文献１には、第３者が、例えば、突出部を加工してスキミング装置を取り付けた場合に、取り付けられたそのスキミング装置によって、利用者により挿入口に挿入された記録媒体の内容が読み取られるという問題がある。
【０００９】
また、特許文献２には、表裏に同内容のデータが記録されたカードのデータを読み取る際に、カードを挟んで保護部とは反対側の同じ位置にスキミング装置が取り付けられた場合に、当該カードにおける裏面の磁気記録媒体の内容が読み取られてしまうという問題がある。また、カードを挟んで保護部とは反対側の同じ位置に保護部と同じ形状の別の保護部を設けた場合、利用者は、向かい合う保護部同士の狭い隙間にカードの先端部分を挿入する際に、ストレスを感じるという問題がある。
【００１０】
また、特許文献３には、磁気カードに記録された磁気データの読み取りについて何ら記載されていない。
【００１１】
本発明の主たる目的は、磁気カード等の記録媒体を現金自動預け払い機（磁気カード処理装置）等に挿入する際に記録媒体に磁気的に記録されたデータがスキミング装置によって読み取られるのを防止する記録媒体取扱い装置等を提供することにある。
【課題を解決するための手段】
【００１２】
本発明の１つの見地において、記録媒体取扱い装置は、
磁気化された情報が長手方向に記録されている部位を含む、矩形または略矩形形状をなす記録媒体を、その長手方向に沿った端面を先頭にして挿入可能な開口と、前記長手方向の端面を先頭にして前記記録媒体が前記開口に挿入されたことを検出可能なセンサと、前記開口に挿入された前記記録媒体を搬送可能な搬送部と、前記センサの検出結果に応じて、前記搬送部の動作を制御する制御部とを備え、前記センサは、前記開口近傍の、自装置内側に設けられ、前記制御部は、前記センサによる検出結果によって、前記長手方向に沿った端面を先頭にした正規方向に前記記録媒体が前記開口に挿入されたことを検出した場合には、前記記録媒体が所定位置に搬送されるよう前記搬送部を制御する一方で、前記正規方向とは異なる向きに前記記録媒体が挿入されたことを検出した場合には、前記記録媒体の搬送を禁止するか、或いは、前記所定位置への搬送を禁止するよう前記搬送部を制御する。
【００１３】
また、本発明の他の見地において、記録媒体取扱い装置の制御方法は、
磁気化された情報が長手方向に記録されている部位を含む、矩形または略矩形形状をなす記録媒体を、その長手方向に沿った端面を先頭にして挿入可能な開口と、前記開口近傍の、自装置内側に設けられ、前記長手方向の端面を先頭にして前記記録媒体が前記開口に挿入されたことを検出可能なセンサと、前記開口に挿入された前記記録媒体を搬送可能な搬送部と、前記センサの検出結果に応じて、前記搬送部の動作を制御する制御部とを備える記録媒体取扱い装置により、前記センサによる検出結果によって、前記長手方向に沿った端面を先頭にした正規方向に前記記録媒体が前記開口に挿入されたことを検出した場合には、前記記録媒体が所定位置に搬送されるよう前記搬送部を制御する一方で、前記正規方向とは異なる向きに前記記録媒体が挿入されたことを検出した場合には、前記記録媒体の搬送を禁止するか、或いは、前記所定位置への搬送を禁止するよう前記搬送部を制御する。
【発明の効果】
【００１４】
本発明には、磁気カード等の記録媒体を、現金自動預け払い機（磁気カード処理装置）等に挿入する際に、記録媒体に磁気的に記録されたデータがスキミング装置によって読み取られるのを防止できるという効果がある。
【図面の簡単な説明】
【００１５】
【図１】本発明の第１の実施形態に係る記録媒体取扱い装置３０の構成を概念的に示した側面図である。
【図２】本発明の第１の実施形態に係る記録媒体取扱い装置３０の構成を概念的に示した上面図である。
【図３】第１の実施形態に係る記録媒体取扱い装置３０に挿入される磁気カード１の構成を示す上面図である。
【図４】本発明の第２の実施形態に係る記録媒体取扱い装置４０の構成を概念的に示した上面図である。
【図５】本発明の第３の実施形態を示す記録媒体取扱い装置５０の構成を概念的に示した上面図である。
【図６】第４の実施形態を示す記録媒体取扱い装置６０の構成及び動作の状態を示す側面図（１／４）である。
【図７】第４の実施形態を示す記録媒体取扱い装置６０の構成及び動作の状態を示す側面図（２／４）である。
【図８】第４の実施形態を示す記録媒体取扱い装置６０の構成及び動作の状態を示す上面図（１／２）である。
【図９】第４の実施形態を示す記録媒体取扱い装置６０の構成及び動作の状態を示す側面図（３／４）である。
【図１０】第４の実施形態を示す記録媒体取扱い装置６０の構成及び動作の状態を示す上面図（２／２）である。
【図１１】第４の実施形態を示す記録媒体取扱い装置６０の構成及び動作の状態を示す側面図（４／４）である。
【図１２】本発明の第３の実施形態に係る制御部１９の動作を示すフローチャートである。
【発明を実施するための形態】
【００１６】
次に、本発明の実施形態について図面を参照して詳細に説明する。
【００１７】
＜第１の実施形態＞
まず、本発明の第１の実施形態に係る記録媒体取扱い装置３０について説明する。
【００１８】
図１は、本発明の第１の実施形態に係る記録媒体取扱い装置３０の構成を概念的に示した側面図である。図２は、本発明の第１の実施形態に係る記録媒体取扱い装置３０の構成を概念的に示した上面図である。
【００１９】
図３は、本実施形態に係る記録媒体取扱い装置３０に挿入される記録媒体（磁気カード）１の構成を例示する上面図である。記録媒体１は、例えば矩形または略矩形状形状であり、その表面に、磁気化された情報が長手方向に記録されている部位（磁気ストライプ）２１を含む。なお、矢印２４は、記録媒体１を、記録媒体１の短方向に沿った端面を先頭に、図示していない既存の磁気データ処理装置の記録媒体挿入口（例えば、現金自動預け払い機のカード挿入口等）に挿入する際の挿入方向を利用者等に示す。
【００２０】
図１および図２には、本実施形態に係る記録媒体取扱い装置３０に記録媒体１が挿入された状態で表されている。図１および図２を参照すると、記録媒体取扱い装置３０は、開口（カード挿入口）４と、センサ５と、搬送部２６と、制御部１７とを有する。
【００２１】
開口４は、図２に示すように、記録媒体１を、その長手方向に沿った端面を先頭にして挿入可能な幅をなす。
【００２２】
センサ５は、開口４よりも記録媒体取扱い装置３０の内側（紙面右方向）の、開口４近傍に設けられる。
【００２３】
センサ５は、記録媒体１が長手方向に沿った端面を先頭にして開口４に挿入されたことを検出可能である。センサ５は、記録媒体１が長手方向に沿った端面を先頭にして開口４に挿入された場合に記録媒体１を検出可能なように、一例として記録媒体取扱い装置３０の内側の上部に、挿入された記録媒体１の長手方向に亘って設けられる。本実施形態において、センサ５は、物体等の在否を検出可能な、例えば光電センサである。センサ５は、当該長手方向に亘って物体等の在否を検出可能であれば、他の方式のセンサであってもよく、一体ではなく、分離された複数のセンサで構成されていてもよい。
【００２４】
搬送部２６は、開口４よりも記録媒体取扱い装置３０の内側の、開口４近傍に設けられ、開口４に挿入された記録媒体１を、所定位置に搬送可能である。所定位置とは、開口４から奥方向（紙面右方向）に設けた、例えば既設の磁気カード処理装置（不図示）等のカード挿入口（不図示）である。搬送部２６は、例えばベルトや、ローラ等によって構成された一般的な搬送機構である。
【００２５】
センサ５および搬送部２６は、制御部１７にそれぞれ接続されている。
【００２６】
制御部１７は、センサ５が出力する検出結果に応じて、搬送部２６の動作を制御する。
【００２７】
次に、本実施形態における記録媒体取扱い装置３０の動作について説明する。
【００２８】
本実施形態において、利用者等は、磁気カード１を、磁気ストライプ２１が伸びる方向と直交するように、長手方向に沿った端面を先頭にして開口４に挿入するものとする。磁気カード１の長手方向に沿った端面を先頭にした開口４への挿入方向は、以降、「正規方向」と称することとする。
【００２９】
センサ５は、磁気カード１が正規方向に開口４に挿入されたか否かを検出し、その検出結果を制御部１７に通知する。
【００３０】
制御部１７は、センサ５から受け取った検出結果によって、長手方向に沿った端面を先頭にした正規方向に磁気カード１が開口４に挿入されたことを検出した場合には、搬送部２６を制御して、磁気カード１を、所定位置に搬送する。
【００３１】
一方で、制御部１７は、センサ５から受け取った検出結果が、正規方向とは異なる向き（つまり、非正規方向）に磁気カード１が開口４に挿入されたことを検出した場合には、搬送部２６を制御して、磁気カード１の搬送を禁止するか、或いは、磁気カード１の所定位置への搬送を禁止する。
【００３２】
ここで、図１および図２に点線で示すように、第３者によってスキミング装置２２が、一例として開口４の上部に取り付けられたとする。
【００３３】
図２に示すようにスキミング装置２２は、スキミング用磁気ヘッド２３を有する。スキミング用磁気ヘッド２３は、磁気ストライプ２１を、長手方向に走査することができた場合には、磁気ストライプ２１に磁気化されている情報を読み取り可能であるとする。
【００３４】
しかし、利用者等が、磁気カード１を、正規方向に開口４に挿入した場合、スキミング用磁気ヘッド２３は、磁気ストライプ２１と直交する短方向に走査するため、磁気ストライプ２１に記録された磁気化された情報を正しく読み出すことができない。
【００３５】
また、利用者等が、磁気カード１を、非正規方向に開口４に挿入した場合、制御部１７は、搬送部２６を制御して、磁気カード１の搬送を禁止するか、或いは、磁気カード１の所定位置への搬送を禁止する。その結果、本実施形態において、スキミング用磁気ヘッド２３は、磁気ストライプ２１に記録されている磁気化された情報の一部分しか読み出すことができず、磁気ストライプ２１における磁気化情報の記録開始位置によっては、情報を全く読み出すことができない。
【００３６】
こうして、本発明の記録媒体取扱い装置３０は、記録媒体取扱い装置３０にスキミング装置２２が取り付けられていても、そのスキミング装置２２に、磁気カード１の磁気ストライプ２１に記録された磁気化された情報が読み取られることを防止することができる。
【００３７】
以上、本実施形態には、スキミング装置２２によるスキミングを十分に抑制できるという効果がある。
【００３８】
その理由は、磁気化された情報が記録された磁気ストライプ２１と直交する方向に、磁気カード１を開口４へ挿入した場合にのみ、記録媒体取扱い装置３０が、磁気カード１を、記録媒体取扱い装置３０の内側の所定位置に搬送するように構成したからである。
【００３９】
本実施形態において用いられる、図３に示す磁気カード１は、例えば銀行等の現金自動預け払い機等において用いられるキャッシュカードである。しかし、磁気カード１の種類は、上述したキャッシュカードに限定されず、各種のクレジットカードや、各種のポイントカード等であってもよい。
【００４０】
＜第２の実施形態＞
次に、本発明の第２の実施形態について説明する。
【００４１】
図４は、第２の実施形態に係る記録媒体取扱い装置４０の構成を概念的に示した上面図である。図４を参照すると、本実施形態に係る記録媒体取扱い装置４０の構成は、第１の実施形態の記録媒体取扱い装置３０における、センサ５の代わりにセンサ２５を用いる点、搬送部２６の代わりに搬送部２７を用いる点、および制御部１７の代わりに制御部１８を用いる点が第１の実施形態の記録媒体取扱い装置３０の構成と異なる。
【００４２】
以下、本実施形態では、第１の実施形態の構成と異なる第２の実施形態の構成を中心に説明し、第１の実施形態の構成と同じ第２の実施形態の構成についての重複する説明は省略する。
【００４３】
センサ２５は、センサ５が、磁気カード１が正規方向に開口４に挿入されたことを検出可能なことに加えて、更に、磁気を検出可能な機能を有する点がセンサ５と異なる。
【００４４】
また、搬送部２７は、搬送部２６が、開口４よりも記録媒体取扱い装置３０の内側の、開口４近傍に設けられ、開口４に挿入された記録媒体１を、所定の位置に搬送可能なことに加えて、更に、以下の点が異なる。すなわち、搬送部２７は、正規方向に開口４に挿入された記録媒体１を、挿入されたときの方向のまま、或いは、挿入されたときの方向とは異なる方向に変更することにより、記録媒体取扱い装置４０内側の所定位置に搬送することが可能な点が搬送部２６と異なる。
【００４５】
次に、本実施形態における記録媒体取扱い装置４０の動作について説明する。
【００４６】
センサ２５は、磁気カード１が正規方向に開口４に挿入されたか否かを検出すると共に、磁気カード１の長手方向に沿った２つの端面のうち、磁気ストライプ２１に近い方の一端面を先頭にして挿入されたか、他端面を先頭にして挿入されたかを検出する。
【００４７】
制御部１８は、その検出結果によって、搬送部２７を制御し、以下のように磁気カード１の搬送動作を変更する。
【００４８】
すなわち、制御部１８は、センサ２５から受け取った検出結果が、非正規方向に磁気カード１が開口４に挿入されたことを検出した場合に、磁気カード１の搬送を禁止するか、或いは、磁気カード１の所定位置への搬送を禁止（例えば、カード回収箱（不図示）への収納等を）するよう搬送部２７を制御する。
【００４９】
また、制御部１８は、センサ２５から受け取った検出結果が、正規方向に磁気カード１が開口４に挿入されたことを検出した場合で、且つ、磁気カード１の長手方向に沿った２つの端面のうち、磁気ストライプ２１に近い方の一端面を先頭にして挿入されたことを検出した場合は、一例として以下の動作を行う。つまり、制御部１８は、挿入された磁気カード１を、図４における上面視で、時計回りに９０度回転し、所定位置に搬送されるように搬送部２７を制御する。
【００５０】
一方、制御部１８は、センサ２５から受け取った検出結果が、正規方向に磁気カード１が開口４に挿入されたことを検出した場合で、且つ、磁気カード１の長手方向に沿った２つの端面のうち、磁気ストライプ２１に遠い方の他端面を先頭にして挿入されたことを検出した場合は、一例として以下の動作を行う。つまり、制御部１８は、挿入された磁気カード１を、図４における上面視で、反時計回りに９０度回転し、所定位置に搬送されるように搬送部２７を制御する。
【００５１】
以上、本実施形態には、スキミング装置２２によるスキミングを十分に抑制できると共に、磁気カード１が、磁気カード１の長手方向に沿った２つの端面のうち、何れの端面を先頭に正規方向に開口４に挿入されても、磁気カード１を、所定位置に搬送することができるという効果がある。
【００５２】
その理由は、正規方向に開口４に挿入された磁気カード１を、センサ２５による検出結果によって、挿入されたときの方向のまま、或いは、挿入されたときの方向とは異なる方向に変更することにより、記録媒体取扱い装置４０内側の所定位置に搬送するように構成したからである。
【００５３】
（第２の実施形態の変形例）
次に第２の実施形態を基本とする第２の実施形態の変形例について説明する。第２の実施形態において、利用者等が、磁気ストライプ２１を下面に向けて、正規方向に開口４に挿入した場合に、センサ２５だけでは、長手方向に沿った２つの端面のうち、何れの端面を先頭に正規方向に開口４に挿入されたかが判別できない。
【００５４】
そこで、第２の実施形態の変形例では、センサ２５と、磁気カード１を介して対向する位置にセンサ２５とは別の、磁気を検出可能なセンサ（不図示）を追加する。それと共に搬送部２７において、上述した追加されたセンサの検出結果によって、記録媒体取扱い装置４０内で、例えば長手方向に沿った端面と平行な線を中心に磁気カード１の表裏を、反転可能な反転機構（不図示）を追加する。
【００５５】
上述した反転機構は、例えば、駅等における自動切符改札機等内において切符等の券面を反転する際に用いられる、現在では一般的な機構を採用することができる。
【００５６】
以下、第２の実施形態の本変形例では、第２の実施形態の構成と異なる第２の実施形態の本変形例の構成を中心に説明し、第２の実施形態の構成と同じ第２の実施形態の本変形例の構成についての重複する説明は省略する。
【００５７】
次に、本実施形態の変形例の動作について説明する。
【００５８】
制御部１８は、センサ２５および追加されたセンサから受け取った検出結果が、磁気カード１が裏面であり、且つ、磁気カード１の長手方向に沿った２つの端面のうち、磁気ストライプ２１に近い方の一端面を先頭にして挿入されたことを検出した場合は、一例として以下の動作を行う。すなわち、制御部１８は、挿入された磁気カード１を、長手方向に沿った端面と平行な線を中心に磁気カード１の表裏を反転し、図４における上面視で、反時計回りに９０度回転し、所定位置に搬送されるように搬送部２７を制御する。
【００５９】
一方、制御部１８は、センサ２５および追加されたセンサから受け取った検出結果が、磁気カード１が裏面であり、且つ、磁気カード１の長手方向に沿った２つの端面のうち、磁気ストライプ２１に遠い方の他端面を先頭にして挿入されたことを検出した場合は、一例として以下の動作を行う。すなわち、制御部１８は、挿入された磁気カード１を、長手方向に沿った端面と平行な線を中心に磁気カード１の表裏を反転し、図４における上面視で、時計回りに９０度回転し、所定位置に搬送されるように搬送部２７を制御する。
【００６０】
以上、本変形例には、スキミング装置２２によるスキミングを十分に抑制できると共に、磁気カード１が、磁気カード１の長手方向に沿った２つの端面のうち、何れの端面を先頭にし、且つ、磁気カード１の何れの面を上面に向けて正規方向に開口４に挿入されても、磁気カード１を、所定位置に搬送することができるという効果がある。
【００６１】
その理由は、正規方向に開口４に挿入された磁気カード１を、センサ２５及び追加されたセンサによる検出結果によって、挿入されたときの方向のまま、或いは、挿入されたときの方向とは異なる方向に変更することにより、記録媒体取扱い装置４０内側の所定位置に搬送するように構成したからである。
【００６２】
本実施形態において説明した記録媒体取扱い装置４０は、例えば、既設の現金預け払い装置（不図示）等のカード挿入口（不図示）等に設けられても、或いは、係る記録媒体取扱い装置４０自体を自装置に備える新規な現金預け払い機してもよい。
【００６３】
＜第３の実施形態＞
次に、本発明の第３の実施形態について説明する。
【００６４】
図５は、第３の実施形態に係る記録媒体取扱い装置５０の構成を概念的に示した上面図である。図５を参照すると、本実施形態に係る記録媒体取扱い装置５０の構成は、第２の実施形態の記録媒体取扱い装置４０の構成に磁気センサ（磁気ヘッド）２９を追加した点が第２の実施形態の記録媒体取扱い装置４０の構成と異なる。
【００６５】
以下、本実施形態では、第２の実施形態の構成と異なる第３の実施形態の構成を中心に説明し、第２の実施形態の構成と同じ第３の実施形態の構成についての重複する説明は省略する。
【００６６】
磁気ヘッド２９は、磁気カード１が長手方向に搬送された際に、磁気カード１の磁気ストライプ２１を長手方向に走査することによって、磁気ストライプ２１の磁気化された情報を読み取り可能な、センサ２５とは異なる磁気センサである。
【００６７】
次に、本実施形態における記録媒体取扱い装置５０の動作について説明する。
【００６８】
制御部１８は、センサ２５の検出結果によって、搬送部２７を制御し、以下のように磁気カード１を搬送する。すなわち、制御部１８は、センサ２５から受け取った検出結果が、例えば正規方向に磁気カード１が開口４に挿入されたことを検出した場合には、搬送部２７を制御して、磁気カード１を、当該磁気カードの短方向に沿った端面を先頭にし、且つ、磁気ヘッド２９の手前の位置である所定位置に磁気ストライプ２１が位置するように搬送する。
【００６９】
以上、本実施形態には、スキミング装置２２によるスキミングを十分に抑制できる。それと共に、磁気カード１が、磁気カードの長手方向に沿った２つの端面のうち、何れの端面を先頭に正規方向に開口４に挿入されても、磁気カード１を、磁気ヘッド２９の手前の位置である所定位置に磁気ストライプ２１が位置するように搬送することができるという効果がある。
【００７０】
その理由は、正規方向に開口４に挿入された磁気カード１を、挿入されたときの方向のまま、或いは、挿入されたときの方向とは異なる方向に変更することにより、磁気ヘッド２９の手前の位置である所定位置に磁気ストライプ２１が位置するよう搬送するからである。
【００７１】
なお、上述した記録媒体取扱い装置５０は、上述した磁気ヘッド２９を設け、磁気カード１の短方向に沿った端面を先頭にして挿入可能な開口（不図示）を有する、例えば現金自動預け払い機等の外部装置（不図示）に装着可能である。
【００７２】
これによって、制御部１８は、自装置である記録媒体取扱い装置５０の開口４において正規方向に挿入された磁気カード１を、外部装置である現金自動預け払い機等の開口において磁気カード１の短方向に沿った端面を先頭にし、且つ、磁気ヘッド２９の手前に磁気ストライプ２１が位置するように搬送することができる。
【００７３】
＜第４の実施形態＞
次に、本発明の第４の実施形態について図６乃至図１２を用いて説明する。
【００７４】
図６、図７，図９および図１１は、第４の実施形態に係る記録媒体取扱い装置６０の構成を示す側面図である。図８および図１０は、第４の実施形態に係る記録媒体取扱い装置６０の構成を示す上面図である。
【００７５】
図６を参照すると、本実施形態の記録媒体取扱い装置６０は、開口（カード挿入口）４と、センサ２５と、搬送部３６と、制御部１９と、既設の磁気カード処理装置２０とを有する。既設の磁気カード処理装置２０は、開口（カード挿入口）２８と、磁気ヘッド２９とを有する。
【００７６】
以下、本実施形態では、第１乃至第３の実施形態の各構成と異なる本実施形態の構成を中心に説明し、第１乃至第３の実施形態の各構成と同じ本実施形態の構成についての重複する説明は省略する。
【００７７】
搬送部３６は、モータ２と、回転台３と、ソレノイド７と、搬送ローラ８と、搬送ローラ９と、モータ１０と、搬送ローラ１３と、センサ１４とを含む。搬送部３６は、例えば第２の実施形態において説明した記録媒体取扱い装置４０の搬送部２７に対応する。制御部１９は、例えば第２の実施形態において説明した記録媒体取扱い装置４０の制御部１８に対応する。
【００７８】
図６乃至図１１は、各図面が煩雑になるのを避けるために、制御部１９と、モータ２、センサ２５、ソレノイド７、モータ１０、およびセンサ１４との間の電気的な各接続は、それらの記載を省略している。
【００７９】
また、図６乃至図１１に示すモータ２と、搬送ローラ８および搬送ローラ１３との間を接続する一点鎖線は、モータ２の駆動力を各搬送ローラに伝達する機械的な各接続を模式的に示したものであり、例えばベルトやチェーン等の一般的な機構を表すこととする。
【００８０】
搬送ローラ８および搬送ローラ９は、正規方向にカード挿入口４から挿入された磁気カード１の先端部（先頭）を、搬送ローラ８により磁気カード１の上面側から、そして搬送ローラ９により磁気カード１の下面側から挟持可能に対向する位置に配置される。
【００８１】
また、上述した搬送ローラ９は、搬送ローラ９の代わりに、磁気カード１を搬送ローラ８との間で挟持することが可能な、図６において斜線を用いて示す台状の部材を用いてもよい。その場合、搬送ローラ９は不要である。
【００８２】
このように、本実施形態において、カード挿入口４から挿入された磁気カード１の端面の先頭は、上述した少なくとも何れかの搬送ローラに当接（干渉）する。
【００８３】
上述した搬送部３６の構成によれば、磁気ストライプ２１に近い方の長手方向に沿った端面を先頭にして、利用者等が磁気カード１を正規方向に挿入する場合に、利用者等は、磁気カード１を、以下のようにしてカード挿入口４に挿入可能である。すなわち、利用者等は、搬送ローラ８による磁気カード１の搬送が行われない状態において、磁気カード１を、磁気ストライプ２１が記録媒体取扱い装置６０の外側から隠れる位置までカード挿入口４に挿入可能である。
【００８４】
そのため、記録媒体取扱い装置６０は、第３者によって磁気ストライプ２１を長手方向に走査するスキミング装置が記録媒体取扱い装置６０のカード挿入口４付近に設置されたとしても、そのスキミング装置によって磁気ストライプ２１に記憶されている磁気化された情報が読み取られることを十分に抑制することができる。
【００８５】
本実施形態において、搬送ローラ８および搬送ローラ９等の搬送部３６は、センサ２５よりも記録媒体取扱い装置５０の奥側（図６の紙面右方向）に設けた例を説明する。しかし、上述した搬送部３６は、記録媒体取扱い装置５０内の、センサ２５が設けられた位置と同じ位置から設けるようにしてもよい。
【００８６】
モータ２は、制御部１９の指示に従って、搬送ローラ８および後述する搬送ローラ１３を駆動する。
【００８７】
回転台３は、図８に示すように、本実施形態において、図３に示す磁気カード１と上面視がほぼ同じ矩形状の平板であり、その上面に磁気カード１を載置可能である。
【００８８】
回転台３は、図６に示すように、一端が回転台３の中心に鉛直下方向に接続され、他端がモータ１０の回転軸に接続された回転軸を有し、その回転軸を中心に回転可能である。
【００８９】
モータ１０は、制御部１９の指示に従って、回転台３の回転軸を駆動する。
【００９０】
制御部１９は、モータ２に所定数のパルス信号を入力する。モータ２は、制御部１９から入力されたパルス信号に応答して、搬送ローラ８および搬送ローラ１３の回転軸を、各搬送ローラの円周上の所定の距離に対応する角度分だけ駆動する。
【００９１】
制御部１９は、モータ１０に所定数のパルス信号を入力する。モータ１０は、制御部１９から入力されたパルス信号に応答して、回転台３の回転軸を、所定の方向に、所定の角度分だけ駆動する。
【００９２】
搬送ローラ１３は、図６に示すように、後述するソレノイド７に搬送ローラ１３の回転軸を中心に回転可能に設けられ、回転台３の上方に配置される。
【００９３】
本実施形態では、搬送ローラ８および搬送ローラ１３は、磁気カード１を搬送するために、図９に示すように、それぞれ並列に２個あり、それら２個のローラ間は、回転軸を中心にして回転するものとする。
【００９４】
搬送ローラ８、搬送ローラ９、および搬送ローラ１３は、磁気カード１を搬送可能な、所定の摩擦係数を有する弾性部材等からなる外周部（不図示）を有する。
【００９５】
ソレノイド７は、制御部１９により通電されると、搬送ローラ１３が、ソレノイド７から回転台３に向けて降下する。ソレノイド７は、制御部１９により通電が遮断されると、搬送ローラ１３が、回転台３からソレノイド７に向けて上昇する。
【００９６】
センサ１４は、搬送ローラ１３と、後述するカード挿入口２８との間に設けられ、後述するセンサ１４に到達する磁気カード１の長手方向に沿った端面の先頭を検出する。センサ１４は、例えば物体の在否を検出可能な光電センサである。
【００９７】
制御部１８は、上述した各部を制御する。
【００９８】
既設の磁気カード処理装置２０は、例えば現金自動預け払い機等の一般的な磁気カード処理装置である。既設の磁気カード処理装置２０は、利用者等が磁気カード１を、磁気カード１の磁気ストライプ２１を上面にし、且つ、カード挿入口２８に向かって磁気ストライプ２１に近い方の長手方向に沿った一端面が右側に位置するように向けて、その短方向に沿った端面を先頭にしてカード挿入口２８に挿入可能である。
【００９９】
次に、第４の実施形態の動作について図６乃至図１２を参照して説明する。
【０１００】
図１２は、第４の実施形態に係る制御部１９の動作を示すフローチャートである。
【０１０１】
今、利用者等が、磁気カード１を、磁気カード１の磁気ストライプ２１を上面にし、且つ、磁気カード１の長手方向に沿った２つの端面のうち、磁気ストライプ２１に近い方の一端面を先頭にして、正規方向からカード挿入口４に挿入したとする（図６）。
【０１０２】
センサ２５は、磁気カード１が、正規方向からカード挿入口４に挿入されたことを検出する。（ステップＳ５１）。
【０１０３】
制御部１９は、センサ２５から、磁気カード１が、正規方向からカード挿入口４に挿入されたことを示す検出結果を受けると、モータ２を駆動することによって、搬送ローラ８および搬送ローラ９によって磁気カード１を回転台３へ搬送する（ステップＳ５２）。
【０１０４】
制御部１９は、センサ２５から、磁気カード１が、非正規方向からカード挿入口４に挿入されたことを示す検出結果を受けると、モータ２を駆動しない。その結果、磁気カード１は、記録媒体取扱い装置６０内の回転台３へ搬送されない。
【０１０５】
これにより、本実施形態の記録媒体取扱い装置６０は、図６に点線で示すスキミング装置２２が設置されていた場合でも、スキミング用磁気ヘッド２３により磁気カード１の磁気ストライプ２１に記録された磁気化された情報を読み取られることを防ぐことができる。
【０１０６】
搬送ローラ８および搬送ローラ９によって挟持された磁気カード１は、搬送ローラ８が回転することにより、記録媒体取扱い装置６０の奥側（紙面右方向）に搬送され、回転台３の上面に、回転台３に重なるように載置される。
【０１０７】
制御部１９は、センサ２５から、磁気カード１が検出されなくなれば、上述したモータ２の駆動を停止する。
【０１０８】
制御部１９は、ステップＳ５１において検出された、磁気カード１の長手方向に沿った２つの端面のうち、磁気ストライプ２１に近い方の一端面を先頭にして挿入されたか、他端面を先頭にして挿入されたかに基づいて、以下の処理を行う（ステップＳ５３）。
【０１０９】
すなわち、制御部１９は、ステップＳ５３において、磁気ストライプ２１に近い方の一端面を先頭にして挿入されたと判断した場合（ステップＳ５３においてＹＥＳ）、モータ１０を駆動することによって、回転台３を時計周りに、９０度回転する（ステップＳ５４）。
【０１１０】
こうして、制御部１９は、磁気カード１を短方向に沿った端面を先頭に向ける。
【０１１１】
一方、制御部１９は、ステップＳ５３において、他端面を先頭にして挿入されたと判断した場合（ステップＳ５３においてＮＯ）、モータ１０を駆動することによって、回転台３を反時計周りに、９０度回転する（ステップＳ５５）。こうして、制御部１９は、磁気カード１を短方向に沿った端面を先頭に向ける。
【０１１２】
制御部１９は、ステップＳ５４またはステップＳ５５の処理を終えた際、ソレノイド７を駆動することによって、搬送ローラ１３の下端部が磁気カード１の上面に当接するように、搬送ローラ１３を伸長する（ステップＳ５６）。
【０１１３】
なお、回転台３は、回転台３が回転する際に、回転台３が上下方向に可動するようにしてもよい。つまり、回転台３は、ステップＳ５４またはステップＳ５５において、回転台３が何れかの方向に回転する際に、回転台３の上面が上方に迫り上がる機構を更に設けてもよい。この場合、ソレノイド７は、不要であり、回転台３は、何れかの方向に回転した後、その方向とは逆方向に回転して元の向きに戻る際に、再び元の回転台３の上面の高さに戻る。
【０１１４】
制御部１９は、モータ２を駆動することによって、センサ１４が磁気カード１の短方向に沿った端面の先頭を検出するまで搬送ローラ１３が回転する（ステップＳ５７）。
【０１１５】
制御部１９は、モータ２を駆動することによって、磁気カード１の短方向に沿った端面を先頭にして、既設の磁気カード処理装置２０のカード挿入口２８内の磁気ヘッド２９が
磁気ストライプ２１を読み取り可能な所定の位置に到達するまでの残りの所定の距離、磁気カード１を搬送する（ステップＳ５８）。
【０１１６】
こうして制御部１９は、磁気カード１の短方向に沿った端面の先頭を、カード挿入口２８に挿入することができる。
【０１１７】
上述したように、本実施形態では、制御部１９が、モータおよびソレノイドを制御して、搬送ローラにより磁気カード１を搬送する例を説明した。しかし、本実施形態において、磁気カード１を搬送する手段は、上述したモータ、ソレノイド、および搬送ローラには限定されない。
【０１１８】
なお、既設の磁気カード処理装置２０は、磁気カード１の預け払い等の処理が終了すると、カード挿入口２８から磁気カード１を排出する。
【０１１９】
記録媒体取扱い装置６０は、既設の磁気カード処理装置２０から排出された磁気カード１を受け取り、上述した磁気カード１の搬送方向とは逆の方向に磁気カード１を搬送し、カード挿入口４から磁気カード１を排出する。利用者等は、その排出された磁気カード１を受け取る。上述した、利用者等への磁気カード１の戻入動作の説明は省略する。
【０１２０】
以上、本実施形態には、第１および第２の実施形態と同様にスキミング装置によるスキミングを十分に抑制できるという効果がある。
【０１２１】
その理由は、磁気化された情報が記録された磁気ストライプ２１と直交する方向に、磁気カード１をカード挿入口４へ挿入すると共に、記録媒体取扱い装置６０内で磁気カード１の向きを、既設の磁気カード処理装置２０のカード挿入口２８に挿入可能なように変更するように構成したからである。
【０１２２】
なお、記録媒体取扱い装置６０の後段に既設の磁気カード処理装置２０を流用することができるので、記録媒体取扱い装置６０を含む磁気カード処理装置全体を新規に開発するよりも開発にかかる費用を抑制することできるという効果がある。
【符号の説明】
【０１２３】
１    記録媒体（磁気カード）
２    モータ
３    回転台
４    開口（カード挿入口）
５    センサ
７    ソレノイド
８    搬送ローラ
９    搬送ローラ
１０    モータ
１３    搬送ローラ
１４    センサ
１７    制御部
１８    制御部
１９    制御部
２０    既設の磁気カード処理装置
２１    部位（磁気ストライプ）
２２    スキミング装置
２３    スキミング用磁気ヘッド
２４    矢印
２５    センサ
２６    搬送部
２７    搬送部
２８    開口（カード挿入口）
２９    磁気センサ（磁気ヘッド）
３０    記録媒体取扱い装置
３６    搬送部
４０    記録媒体取扱い装置
５０    記録媒体取扱い装置
６０    記録媒体取扱い装置
【図１】
0006329119.tif 000002
【図２】
0006329119.tif 000003
【図３】
0006329119.tif 000004
【図４】
0006329119.tif 000005
【図５】
0006329119.tif 000006
【図６】
0006329119.tif 000007
【図７】
0006329119.tif 000008
【図８】
0006329119.tif 000009
【図９】
0006329119.tif 000010
【図１０】
0006329119.tif 000011
【図１１】
0006329119.tif 000012
【図１２】
0006329119.tif 000013